(57)【要約】建物の外壁（２７）に装着される室内空調装置であって、（ａ）（ｉ）室内キャビネットと、（ｉｉ）室内キャビネット内に装着された室内熱交換器（７１）と、（ｉｉｉ）室内キャビネット内に装着された室内ファン（７３）と、（ｉｖ）室内キャビネット内に配置され、前記室内空気（７６）を湿らせる手段と、を有する室内機（２１）と、（ｂ）（ｉ）室外キャビネットと、（ｉｉ）室外キャビネット内に装着された室外熱交換器（８４）と、（ｉｉｉ）室外キャビネット内に装着された室外ファンと、（ｉｖ）室外キャビネット内に装着されたファンモータと、（ｖ）凝縮液移送チューブに接続されたポンプ（８３）と、を有する室外機と、（ｃ）建物の外壁の開口内に装着され、室内機と室外機との間を連通させるインタフェースユニット（２４）と、を備え、凝縮液は、ポンプにより、インタフェースユニットを介して、室内空気を湿らせる手段へと運ばれる室内空調装置。
2004513326.tif 000002
【特許請求の範囲】
【請求項１】
建物の外壁に装着される室内空調装置であって、
（ａ）（ｉ）室内キャビネットと、
（ｉｉ）前記室内キャビネット内に装着された室内熱交換器と、
（ｉｉｉ）前記室内キャビネット内に装着された室内ファンと、
（ｉｖ）前記室内キャビネット内に配置され、前記室内空気を湿らせる手段と、
を有する室内機と、
（ｂ）（ｉ）室外キャビネットと、
（ｉｉ）前記室外キャビネット内に装着された室外熱交換器と、
（ｉｉｉ）前記室外キャビネット内に装着された室外ファンと、
（ｉｖ）前記室外キャビネット内に装着されたファンモータと、
（ｖ）凝縮液移送チューブに接続されたポンプと、
を有する室外機と、
（ｃ）建物の外壁の開口内に装着され、前記室内機と前記室外機との間を連通させるインタフェースユニットと、
を備え、
前記凝縮液は、前記ポンプにより、前記インタフェースユニットを介して、前記室内空気を湿らせる前記手段へと運ばれる室内空調装置。
【請求項２】
湿らせる前記手段が吸収パッドを有している、請求項１に記載の室内空調装置。
【請求項３】
前記インタフェースユニットは、
（ｉ）前記室内熱交換器と前記室外熱交換器とを接続するためのチューブ
を有している、請求項２に記載の室内空調装置。
【請求項４】
前記インタフェースユニットは、
（ｉ）前記室内機と前記室外機との間で電力および電子制御信号を伝えるケーブル
を有している、請求項２に記載の室内空調装置。
【請求項５】
前記インタフェースユニットは、
（ｉｉ）前記室内機と前記室外機との間で空気を運ぶチャンネル
を有している、請求項４に記載の室内空調装置。
【請求項６】
前記インタフェースユニットは、水を前記室内機から前記インタフェースユニットを介して前記室外熱交換器へと運ぶ機構であって、前記水を分配して前記室外熱交換器を冷却する機構を有している、請求項１に記載の室内空調装置。
【請求項７】
建物の外壁に装着される室内空調装置であって、
（ａ）（ｉ）室内キャビネットと、
（ｉｉ）前記室内キャビネット内に装着された室内熱交換器と、
（ｉｉｉ）前記室内キャビネット内に装着された室内ファンと、
を有する室内機と、
（ｂ）（ｉ）室外キャビネットと、
（ｉｉ）前記室外キャビネット内に装着された室外熱交換器と、
（ｉｉｉ）前記室外キャビネット内に装着された室外ファンと、
（ｉｖ）前記室外キャビネット内に装着されたファンモータと、
を有する室外機と、
（ｃ）（ｉ）前記外壁の開口を貫通して設置されるように形成された硬質ハウジングと、
（ｉｉ）前記硬質ハウジング内に配置され、第１の端部が前記ファンモータに係合するとともに、第２の端部が前記室内ファンに更に係合するファン駆動軸と、
を有するインタフェースユニットと、
を備えている室内空調装置。
【請求項８】
前記インタフェースユニット、前記室内機、および前記室外機は、建物の外壁に対して間接的に接続されている、請求項７に記載の室内空調装置。
【請求項９】
前記インタフェースユニット、前記室内機、および前記室外機は、建物の外壁に対して非侵襲的に接続されている、請求項７に記載の室内空調装置。
【請求項１０】
前記インタフェースユニットは、
（ｉｉｉ）前記硬質ハウジングの長さを調整して、前記インタフェースユニットを外壁の厚さに適合させることができる機構
を更に有している、請求項７に記載の室内空調装置。
【請求項１１】
前記インタフェースユニットは、
（ｉｉｉ）前記硬質ハウジングの端部に強固に取り付けられ、前記室内キャビネットと前記室外キャビネットを装着する装着プレート
を更に有している、請求項７に記載の室内空調装置。
【請求項１２】
前記インタフェースユニットは、前記室内機と前記室外機とを接続する単一のユニットである、請求項７に記載の室内空調装置。
【請求項１３】
前記インタフェースユニットは、前記硬質ハウジングの長さを調整して、前記インタフェースユニットを外壁の厚さに適合させることができる機構を有している、請求項２に記載の室内空調装置。
【請求項１４】
前記インタフェースユニットは、
（ｉｖ）室内空調装置の前記室内熱交換器、前記室外熱交換器、コンプレッサに接続する冷媒チューブと、
（ｖ）前記室内機と前記室外機との間で電力および電子制御信号を伝えるケーブルと、
（ｖｉ）前記室内機と前記室外機との間で水を運ぶ少なくとも１つのチューブと、
（ｖｉｉ）前記室内機と前記室外機との間で空気を運ぶ調整可能なダンパを有するチャンネルと、
を更に有している、請求項７に記載の室内空調装置。
【請求項１５】
調整する前記機構は、ネジ付きの内筒および外筒を有している、請求項１３に記載の室内空調装置。
【請求項１６】
前記室内機は、
（ｉｖ）前記室内キャビネット内に配置され、前記室内空気を湿らせる手段
を更に有している、請求項７に記載の室内空調装置。
【請求項１７】
前記室内機は、
前記室外機から前記室内空気を湿らせる前記手段へと水を運ぶ機構
を更に有している、請求項１６に記載の室内空調装置。
【請求項１８】
空気を湿らせる前記手段が吸収パッドを有している、請求項１６に記載の室内空調装置。
【請求項１９】
前記インタフェースユニットは、水を前記室内機から前記インタフェースユニットを介して前記室外熱交換器へと運ぶ機構であって、前記水を分配して前記室外熱交換器を冷却する機構を更に有している、請求項７に記載の室内空調装置。
【発明の詳細な説明】
【０００１】
（発明の分野および背景）
本発明は、室内空調装置に係わり、特に、室外機と室内機とに分割され、分割された室外機と室内機とが外壁に装着されたインタフェースユニットによって互いに接続される室内空調装置に関する。
周知のように、室内空調装置は安価であるため、室内部分と室外部分とが物理的に分割されて別個のキャビネット内に収容される分割型室内空調システムに代わる望ましい代替物である。室内空調装置を設置するには、建物の外壁に大きな開口を設ける必要があり、これにより、室内空調装置が比較的騒がしくなる。また、室内空調装置の冷暖房能力は、一般に１つの部屋に限られる。これは、空間的な制限に起因するとともに、高い能力の機械では騒音が更に生じてしまうからである。
室内空調装置とは異なり、分割型の空調装置は、一般に室内での騒音レベルが著しく低い。また、他の利点は、幾つかの部屋を冷暖房することができ、建物の外壁に形成が必要な開口が比較的小さいという点である。
【０００２】
図面を参照しながら、従来の室内空調装置を特にその特徴を示して説明する。図１は、従来の縦型の空調装置の断面図であり、図２は、図１のＩＩ−ＩＩ線に沿う断面図である。これらの図に示されるように、室内空調装置はキャビネット１を有しており、キャビネットの内部は、キャビネット１の底部９に固定された仕切り板１２によって、室内部１０と室外部１１とに分割されている。キャビネット１の室外部１１に面する仕切り板１２の側面には、モータ５が支持されている。モータ５は、水平に（すなわち、底部９と平行に）配置された回転軸５ａを有している。回転軸５ａの一部は、仕切り板１２を貫通して、室内部１０へと延びている。
キャビネット１の室内部１０の内部には、回転軸５ａに固定された遠心ファン３と、仕切り板１２に固定され且つ遠心ファン３を囲むように配置された渦巻ケーシング４と、渦巻ケーシング４に隣接して遠心ファン３と反対側に配置された室内熱交換器２とが組み込まれている。キャビネット１の室外部１１内には、ファンモータ５の回転軸５ａに固定されたプロペラファン６と、プロペラファン６に対し並列関係を成して離間して配置された室外熱交換器７と、プロペラファン６と室外熱交換器７とを互いに接続するカバー１５と、底部９に装着されたコンプレッサ８とが収容されている。空気をキャビネットの内部に導入するための入口ポート１ａは、キャビネット１の室外部１１の両側に形成されている。
前述した室内空調装置において、ファンモータ５およびコンプレッサ８が作動すると、コンプレッサ８内で圧縮された冷媒の温度が上昇する。暖められた冷媒は、室外熱交換器７に供給されるとともに、プロペラファン６の回転によって生じる空気流Ｂによって冷却される。その後、冷却された冷媒は、室内熱交換器２に供給され、ここで膨張されて、室内熱交換器２を冷却する。これにより、遠心ファン３の回転によって生じる空気流Ａが室内熱交換器２によって冷却される。その後、冷媒はコンプレッサ８に戻る。
【０００３】
前述した従来技術の室内空調装置には、以下に示す幾つかの欠点がある。
ａ．室内熱交換器２と、遠心ファン３と、ファンモータ５と、プロペラファン６と、室外熱交換器７とが互いに接続される構成では、前述した全ての構成部品をコンプレッサ８と共に単一のキャビネット１内に装着する必要があり、室内にいる人を騒々しい機械的なシステムの構成部品に晒す結果となる。
ｂ．室内熱交換器２と、遠心ファン３と、ファンモータ５と、プロペラファン６と、室外熱交換器７とが互いに接続される前述した構成では、前述した全ての構成部品をコンプレッサ８と共に単一のキャビネット１内に装着する必要があるため、空調装置を設置するために建物の外壁に大きな開口を設ける必要がある。
ｃ．空調装置の効果的な冷却能力は、一般に、高いレベルのノイズの発生および他の設計的な制約により１つの部屋に制限される。
したがって、分割型空調装置の利点、すなわち、発生するノイズレベルが低く、必要な開口が小さく、複数の部屋を冷暖房することができるといった利点を有する低コストな室内空調装置が必要であり、また、それが非常に有益であろう。
【０００４】
（発明の概要）
本発明は、室内機と室外機とが別個のキャビネット内に収容されるとともに、熱交換器を含む様々な構成部品同士を接続し且つ室内遠心ファンを室外キャビネット内に収容されたファンモータに連結するためにインタフェースユニットが設けられる室内空調装置である。
本発明は、騒音を出すシステムの構成部品を室外に収容することによって騒音が室内の人に伝わることを低減する室内空調装置を提供する。室外機と室内機とを接続する手段を設けることによって、建物の外壁に形成する開口の寸法を最小限に抑えることができる。室内の人に伝わる騒音を低減し、建物の外壁に形成する開口の寸法を最小限に抑えることにより、複数の部屋の空調負荷を扱うことができる大容量の室内空調装置を設置することができる。これは、本発明の１つの好適な実施形態において、室内機の空気出口ポートを双方向ダンパおよびエアダクトに接続して、調整された空気を１つまたは複数の別の部屋に運ぶことにより達成される。
【０００５】
本発明の一形態によれば、建物の外壁に装着される室内空調装置であって、（ａ）（ｉ）室内キャビネットと、（ｉｉ）室内キャビネット内に装着された室内熱交換器と、（ｉｉｉ）室内キャビネット内に装着された室内ファンと、（ｉｖ）室内キャビネット内に配置され、室内空気を湿らせる手段とを有する室内機と、（ｂ）（ｉ）室外キャビネットと、（ｉｉ）室外キャビネット内に装着された室外熱交換器と、（ｉｉｉ）室外キャビネット内に装着された室外ファンと、（ｉｖ）室外キャビネット内に装着されたファンモータと、（ｖ）凝縮液移送チューブに接続されたポンプとを有する室外機と、（ｃ）建物の外壁の開口内に装着され、室内機と室外機との間を連通させるインタフェースユニットと、を備え、凝縮液が、ポンプにより、インタフェースユニットを介して、室内空気を湿らせる手段へと運ばれる室内空調装置が提供される。
好適な実施形態において記述されている本発明の１つの特徴によれば、空気を湿らせる手段は、吸収パッドを有している。
【０００６】
好適な実施形態において記述されている本発明の他の特徴によれば、インタフェースユニットは、（ｉ）室内熱交換器と室外熱交換器とを接続するためのチューブを有している。
好適な実施形態において記述されている本発明の更に他の特徴によれば、インタフェースユニットは、（ｉ）室内機と室外機との間で電力および電子制御信号を伝えるケーブルを有している。
好適な実施形態において記述されている本発明の更に他の特徴によれば、インタフェースユニットは、（ｉｉ）室内機と室外機との間で空気を運ぶチャンネルを更に有している。
好適な実施形態において記述されている本発明の更に他の特徴によれば、インタフェースユニットは、水を室内機からインタフェースユニットを介して室外熱交換器へと運ぶ機構であって、水を分配して室外熱交換器を冷却する機構を有している。
本発明の一形態においては、建物の外壁に装着される室内空調装置であって、（ａ）（ｉ）室内キャビネットと、（ｉｉ）室内キャビネット内に装着された室内熱交換器と、（ｉｉｉ）室内キャビネット内に装着された室内ファンとを有する室内機と、（ｂ）（ｉ）室外キャビネットと、（ｉｉ）室外キャビネット内に装着された室外熱交換器と、（ｉｉｉ）室外キャビネット内に装着された室外ファンと、（ｉｖ）室外キャビネット内に装着されたファンモータとを有する室外機と、（ｃ）（ｉ）外壁の開口を貫通して設置されるように形成された硬質ハウジングと、（ｉｉ）硬質ハウジング内に配置され、第１の端部がファンモータに係合するとともに、第２の端部が室内ファンに更に係合するファン駆動軸とを有するインタフェースユニットと、を備えている室内空調装置が提供される。
【０００７】
好適な実施形態において記述されている本発明の１つの特徴によれば、インタフェースユニット、室内機、および室外機は、建物の外壁に対して間接的に接続されている。
好適な実施形態において記述されている本発明の他の特徴によれば、インタフェースユニット、室内機、および室外機は、建物の外壁に対して非侵襲的に接続されている。
好適な実施形態において記述されている本発明の更に他の特徴によれば、インタフェースユニットは、（ｉｉｉ）硬質ハウジングの長さを調整して、インタフェースユニットを外壁の厚さに適合させることができる機構を更に有している。
好適な実施形態において記述されている本発明の更に他の特徴によれば、インタフェースユニットは、（ｉｉｉ）硬質ハウジングの端部に強固に取り付けられ、室内キャビネットと室外キャビネットを装着する装着プレートを更に有している。
【０００８】
好適な実施形態において記述されている本発明の更に他の特徴によれば、インタフェースユニットは、室内機と室外機とを接続する単一のユニットである。
好適な実施形態において記述されている本発明の更に他の特徴によれば、インタフェースユニットは、（ｉｖ）室内空調装置の室内熱交換器、室外熱交換器、コンプレッサに接続する冷媒チューブと、（ｖ）室内機と室外機との間で電力および電子制御信号を伝えるケーブルと、（ｖｉ）室内機と室外機との間で水を運ぶ少なくとも１つのチューブと、（ｖｉｉ）室内機と室外機との間で空気を運ぶ調整可能なダンパを有するチャンネルとを更に有している。
好適な実施形態において記述されている本発明の更に他の特徴によれば、調整する機構は、ネジ付きの内筒および外筒を有している。
【０００９】
好適な実施形態において記述されている本発明の更に他の特徴によれば、室内機は、（ｉｖ）室内キャビネット内に配置され、室内空気を湿らせる手段を更に有している。
好適な実施形態において記述されている本発明の更に他の特徴によれば、室内機は、室外機から室内空気を湿らせる手段へと水を運ぶ機構を更に有している。
好適な実施形態において記述されている本発明の更に他の特徴によれば、空気を湿らせる前記手段が吸収パッドを有している。
好適な実施形態において記述されている本発明の更に他の特徴によれば、インタフェースユニットは、水を室内機からインタフェースユニットを介して室外熱交換器へと運ぶ機構であって、水を分配して室外熱交換器を冷却する機構を更に有している。
本発明は、室内空調装置の室内での騒音レベルを低減して、建物の外壁に大きな設置用開口を形成する必要性がない構成を提供することにより、既存の技術の欠点に効果的に対処する。従って、そのような構成により、複数の部屋を空調することができる、安価で且つ大容量の室内空調装置を実現することができる。
【００１０】
（好適な実施形態の説明）
以下、添付の図面を参照しながら、本発明の単なる一例を説明する。ここで、特に図面を詳細に参照すると、図示された内容は、単に本発明の好適な実施形態を説明するにすぎない一例であって、最も有用であると考えられものを提供し且つ本発明の原理および概念形態を容易に理解できる説明を提供するために与えられていることを強調しておく。この場合、本発明の理解に必要ではない構造については詳細に示されていない。本発明の幾つかの形態を実際にどのように具現化するかについては、図面および説明から、当業者であれば理解できる。
本発明は、インタフェースユニットによって室内機と室外機とが相互に接続された室内空調装置である。インタフェースユニットは、熱交換器を接続するとともに、室外機内に設けられた電動機の回転動作を室内機に設けられたファンに伝える。また、インタフェースユニットは、室外機と室内機との間で凝縮水を移送するとともに、新鮮な外気を室内機のファンケーシングに送って室内へと運ぶ手段を形成する。
本発明に係る室内空調装置の原理および動作は、図面および以下の説明を参照することにより、更に良く理解されよう。
本発明の少なくとも１つの実施形態を詳細に説明する前に、本発明は、それを適用するにあたって、以下の説明に記載され或いは図面に示される構成要素の構成および配置に限定されないことを理解されたい。本発明は他の実施形態であっても良く、すなわち、本発明を様々な方法で実施もしくは実行することができる。また、ここで使用される表現および専門用語は、単なる説明のためのものであって、限定的なものであると見なすべきではないことも理解されたい。
【００１１】
図面を参照すると、図３および図３ａは、本発明に従って構成された装置の一形態を示している。図３および図３ａに示されるように、ここで説明する本発明の一実施形態は、室内機２１と、室外機４１と、室内機２１と室外機４１とを接続するためのインタフェースユニット２４とから成る。室内機のキャビネット４２内には、熱交換器３０と、凝縮水収集パン２５と、排液チューブ２６とが装着されている。また、可逆回転型の送水ポンプ（図７および図７ａ参照）を使用することにより、インタフェースユニットに取り付けられたチューブを通じて水を排出することができ、これにより、空気冷却モードにおいては、水を使用して、室外機４１の熱交換器３８を冷却することができ、あるいは、空気加熱モードにおいては、水を使用して、加熱された新鮮な空気を湿らせることができる。室内熱交換器３０に対し並列関係を成して離間して配置された渦巻ケーシング２８内では、回転軸３１の一端に、片吸込遠心ファン２９が装着されている。回転軸３１は、インタフェースユニット２４に装着されたベアリングに支持されるとともに、室外機４１内へと延びている。本発明のこの実施形態では、室外機４１において、回転軸３１が、ベルト・プーリアセンブリにより、電動ファンモータ３６の回転軸３５に接続されている。図３および図３ａに示され且つ図４に更に詳細に示されるベルト・プーリアセンブリは、回転軸３１に取り付けられたプーリ３３と、電動ファンモータの回転軸３５に取り付けられたプーリ３４と、ピボットアーム４５Ａを使用してモータケーシング４５の背部に取り付けられた調整可能なテンションプーリ３２と、各プーリ３２、３３、３４と掛合されるファンベルト４４とから成る。電動ファンモータの回転軸３５を回転軸３１に係合させる他の適当な手段、例えば歯車を基本としたシステムを使用することができる。
【００１２】
電動ファンモータ３６は、室外機の垂直な隔壁４６およびベースプレート４７に装着される。電動ファンモータの回転軸３５の一端には、軸流プロペラファン３７が取り付けられている。室外機のベースプレート４７上には、コンプレッサ３９が装着されている。コンプレッサ３９、室内機の熱交換器３０、室外熱交換器３８は、室内機２１および室外機４１内に装着されたチューブ２２とインタフェースユニット２４内に装着された管状部４８とを使用して、互いに接続されている。
前述した室内空調装置においては、コンプレッサ３９が作動すると、コンプレッサ３９内で圧縮された冷媒が室外熱交換器３８に供給される。一方、ファンモータ３６が作動すると、軸流プロペラファン３７が回転し、これにより、ケーシング４０内が負圧となり、新鮮な外気は、吸引力によって吸引口４９を通じて室外機のキャビネット４３内に吸引されるとともに、室外熱交換器３８を通り抜ける（空気流Ａ参照）。したがって、コンプレッサ３９内で圧縮されることにより暖められた冷媒は、室外熱交換器３８内で冷却されて凝縮される。室外熱交換器３８から室内熱交換器３０へと送られる冷媒は、膨張されることにより、室内熱交換器３０を冷却する。一方、ファンモータ３６が回転すると、片吸込遠心ファン２９が回転し、これにより、渦巻ケーシング２８内が減圧され、室内の空気は、吸引力によって吸引口５０を通じて吸引されるとともに、室内熱交換器３０を通り抜ける（空気流Ｂ参照）。この時、吸引力によって吸引される空気は、冷却された室内熱交換器３０と接触することにより冷却され、冷却された空気は、片吸込遠心ファン２９により、渦巻ケーシング２８の出口ポート５１を通じて再び室内に排出される。
【００１３】
図５は、図３および図３ａに設けられたインタフェースユニット２４の詳細な概略断面図である。図５ａは、同じインタフェースユニットの斜視図である。インタフェースユニットのケーシング５８Ａは、その内面にネジが形成された外側管部５８と、その外面にネジが形成された内側管部５９とから成り、これらの管部は、互いに螺合して必要な構成部品を収容するための空間を形成することができる適当な直径を有している。外側管部５８は、ネジ同士の螺合によって、内側管部５９上に組み付けられる。したがって、これらを組み付けることによって形成される２部品から成るパイプアセンブリは、インタフェースユニット２４のケーシング５８Ａを含むその長さが調整可能であり、これにより、様々な厚さを有する建物の外壁内にインタフェースユニット２４のケーシング５８Ａを設置することができる。インタフェースユニットのケーシング５８Ａは、止め金具６３Ａおよびボルト６３によって室内機のキャビネット４２のリヤパネルに固定されるとともに、ネジ付きの止め金具６２によって建物の外壁面に固定される。インタフェースユニットのケーシング５８Ａは、ボルト６３Ｂによって、室外機のキャビネット４３のリヤパネルに固定される。
【００１４】
回転軸３１は、２つのアレンスクリュー５５によりインタフェースユニット２４の内面に固定された軸受ケーシングチューブ５２内に装着されるとともに、軸受ケーシング５２の両端に挿入された軸受５３によって支持されつつ、ファンモータ３６と係合することにより回転される。室内機の熱交換器３０と室外機の熱交換器３８との接続は、両端に適当な管接続部を備えた冷媒チューブ５６によって行なわれる。電気信号および電力は、電気ケーブル５７を介して、室内機２１から室外機４１へと送られる。
軸受ケーシング５２と電気ケーブル５７と冷媒チューブ５６との間には、新鮮な外気を室外機４１から室内機２１へと運んで調整された空気流中に注入するチャンネル６６が配置されている。
機械的な振動を吸収することによって、インタフェースユニット２４から建物の壁２７への振動伝達を最小限に抑えるため、溝付きの、あるいは、他の適当なタイプの柔軟なゴムスリーブ６４と、ゴムリング６４Ａ、または、これの代わりに或はこれに加えて、ゴムＯリングとが、インタフェースユニット２４の内側管部５９上に配設されている。
【００１５】
図６は、図５のＩ−Ｉ線に沿うインタフェースユニットの断面図である。この図において、電気ケーブル束５７は、断熱材６５の層でそれぞれ覆われた２つの冷媒チューブ５６と並行して、インタフェースユニット２４の上端の近傍に配置されて示されている。前述したケーブル束５７、冷媒チューブ５６、断熱材６５の下側には、新鮮な外気を室外機から室内機へと運ぶためのチャンネル６６が配設されている。この図では完全に開放された位置で示される調整可能なダンパ６８は、チャンネル６６の中央に装着されており、チャンネル６６の利用可能な断面積を手動で調整するために使用され、これによってチャンネル６６内の空気の流量を調節する。ダンパには、閉塞時の熱エネルギ損失を防止するため、室内側に断熱材の層が取り付けられている。図７および図７ａに示されるコンパクトな室内機と共に使用する場合には、チャンネルおよびダンパを使用して新鮮な外気を注入することが望ましい。ダンパ６８の相対的な開放位置の調整は、ダンパ６８に取り付けられ且つ外部から室内機にアクセスできるケーブルまたはハンドル（図示せず）を操作することによって行なわれる。チャンネル６６の下側には、回転駆動軸３１が装着されている。この回転駆動軸３１は、軸受ケーシング５２内に装着された軸受５３によって支持されつつ回転する。軸受ケーシング５２は、一組のネジ５５を使用して、インタフェースユニット２４内に装着されている。チャンネル６６は、一組のネジ６７を使用して、軸受ケーシング５２に固定されている。軸受ケーシング５２の両側には、インタフェースユニット２４の下部近傍に、凝縮水を送るチューブ６９が設けられている。これらのチューブ６９は、断熱材７０の層によって覆われている。
【００１６】
図７は、本発明の一実施形態に係る室内空調装置の断面図である。この実施形態において、室内空調装置の室内機２１は、コンパクトな形状を成しており、室内空調装置の調整された空気を湿らせるための吸収パッドを有している。図７ａは、本発明のこの実施形態の斜視図である。この実施形態には、熱交換器７１と、室内凝縮水収集パン７５と、凝縮水除去チューブ８０と、凝縮水供給チューブ８１とが設けられている。室内熱交換器７１に対し並列関係を成して離間して配置された渦巻ケーシング７２内では、回転軸８２の一端に、片吸込遠心ファン７３が取り付けられている。回転軸３１は、外壁２７内に装着されたインタフェースユニット２４を貫通している。回転軸３１は、室外機４１内へと延び、この室外機において電動ファンモータの回転軸（図示せず）に接続係合している。このような接続は、本発明の一実施形態においてはベルト・プーリアセンブリ（図示せず）によって行なわれ、あるいは、本発明の他の実施形態においてはギヤシステム（図示せず）によって行なわれる。吸収パッド７６は、室内熱交換器７１と並行に配置されている。室内空調装置が暖房モードで動作されると、室外熱交換器８４の下側にある収集パン８５内に収集された凝縮水は、可逆回転型ポンプ８３によって吸収パッド７６へと圧送され、吸収パッド７６に染み込む。その結果、加熱された空気流は、室内に運ばれる前に加湿され、これにより、空気の湿度が所望のレベルまで増大する。本発明の一実施形態において、新鮮な外気は、吸引力によって、室外機４１の空気入口ポート８８から、インタフェースユニット２４内に配置された外気管７７を通じて、遠心ファン７３へと吸引され、ここで、新鮮な外気流は室内熱交換器７１を通じて運ばれた空気流Ａと混合される。
本発明の一実施形態では、冷房モードにおいて、可逆回転型ポンプ８３は、室内機の水収集パン７５からチューブ８０、８６を通じて室外熱交換器８４の上面へと凝縮水を運び、これにより、室外熱交換器８４が冷却される。過剰な凝縮水は、室外機の収集パン８５内に集められ、排液チューブ８９Ａを通じて排出される。
【００１７】
図８は、本発明の他の好適な実施形態の概略図である。この実施形態において、冷却された空気は、室内機９１から第２の部屋９５と同様、第１の部屋９６の内部へと運ばれる。第２の部屋９５に通じる管路９０は、分岐した空気出口プレナム９４に接続される。また、空気出口プレナム９４は、室内機９１のファン渦巻ケーシング９３に取り付けられている。これにより、調整された空気を遠心ファン９２により、管路９０Ａを通じて第１の部屋９６に送ることができ、また／あるいは、管路９０を通じて第２の部屋９５に送ることができる。調整可能なダンパ８９は、分岐された空気出口プレナム９４と管路９０の入口ポート９７との接合部に装着されている。調整可能なダンパ８９によれば、各部屋に運ばれる調整された空気流量を正確に調整して分配できるとともに、所望であれば部屋の１つだけに空気流を方向付けることができる。
【００１８】
本発明の前述した実施形態において、室内機および室外機の設置は、適切なサイズの窓または他の適切な開口の形態で、室内空調装置へのアクセスが与えられる建物の外壁に限定されるため、設置および点検作業は装置上で行なうことができる。
特定の実施形態に関して本発明を説明してきたが、無論、当業者であれば分かるように、多くの代替物、改良、変形が可能である。したがって、本発明は、添付のクレームの思想および範囲に収まるそのような全ての代替物、改良、変形を包含する。この明細書で述べた全ての刊行物、特許、特許出願は、あたかもこれらがここで具体的に且つ個々に参照されたものとして、その全体が本願に組み込まれる。また、この出願における任意の参考文献の引用および表示は、本発明に対する従来技術として利用できる自白として構成されるべきではない。
【図面の簡単な説明】
【図１】
従来技術の縦型室内空調装置を概略的に示す断面図である。
【図２】
図１のＩＩ−ＩＩ線に沿う断面図である。
【図３】
本発明の一実施形態を示す室内空調装置の断面図で、ａは図３に示される室内空調装置の斜視図である。
【図４】
本発明の一実施形態に係る、ファンモータを回転軸に接続するためのベルト・プーリアセンブリの正面図である。
【図５】
好適な実施形態に係るインタフェースユニットの断面図で、ａは図５に示されるインタフェースユニットの斜視図である。
【図６】
図５のＩ−Ｉ線に沿うインタフェースユニットの断面図である。
【図７】
室内機がコンパクトな形態で配置され且つ調整された空気を湿らせるための吸収パッドを有する本発明の一実施形態に係る室内空調装置の断面図、ａは図７に示される室内空調装置の斜視図である。
【図８】
複数の部屋に調整された空気を運ぶ本発明の一実施形態に係る室内空調装置の断面図である。
【符号の説明】
１　キャビネット、１ａ　入口ポート、２　室内熱交換器、３　遠心ファン、４、２８、７２、９３　渦巻ケーシング、５　モータ、５ａ　回転軸、　６　プロペラファン、７　室外熱交換器、８、３９　コンプレッサ、　９　キャビネットの底部、１０　室内部、１１　室外部、１２　仕切り板、１５　カバー、２１　室内機、２２、６９、８６　チューブ、２４　インタフェースユニット、２５　凝縮水収集パン、２６、８９Ａ　排液チューブ、２７　建物の壁、２９　片吸込遠心ファン、３０　室内熱交換器、３１　回転駆動軸（回転軸）、３２　調整可能なテンションプーリ、３３　回転軸に取り付けられたプーリ、３４　電動ファンモータの回転軸に取り付けられたプーリ、３５　電気ファンモータの回転軸、３６　電動ファンモータ、３７　軸流プロペラファン、３８　室外機の熱交換器、４０　ケーシング、４１　室外機、４２　室内キャビネット、４３　室外機のキャビネット、４４　ファンベルト、４５　モータケーシング、４５ａ　ピボットアーム、４６　室外機の垂直な隔壁、４７　ベースプレート、４８　管状部、４９、５０　吸引口、５１　出口ポート、５２　軸受ケーシング（軸受ケーシングチューブ）、５３　軸受、５５　アレンスクリュー（一組のネジ）、５６　冷媒チューブ、５７　電気ケーブル（電気ケーブル束）、５８　外側管部、５８Ａ　インタフェースのケーシング、５９　内側管部、６２　ネジ付の止め金具、６３、６３Ｂ　ボルト、６３Ａ　止め金具、６４　ゴムスリーブ、６４Ａ　ゴムリング、６５、７０　断熱材、６６　チャンネル、６７　一組のネジ、６８、８９　調整可能なダンパ、７１　室内熱交換器、７３　片吸込遠心ファン（室内ファン、遠心ファン）、７５　室内凝縮水収集パン（室内機の凝縮水収集パン）、７６　吸収パッド、７７　外気管、８０　凝縮水除去チューブ、８１　凝縮水供給チューブ、８３　可逆回転型ポンプ、８４　室外熱交換器、８５　室外機の収集パン、８８　空気入口ポート、９０　第２の部屋に通じる管路、９０Ａ　管路、９１　室内機、９２　遠心ファン、９４　分岐された空気出口プレナム、９５　第２の部屋、９６　第１の部屋、９７　入口ポート、Ａ、Ｂ　空気流。
【図１】
2004513326.tif 000003
【図２】
2004513326.tif 000004
【図３】
2004513326.tif 000005
2004513326.tif 000006
【図４】
2004513326.tif 000007
【図５】
2004513326.tif 000008
2004513326.tif 000009
【図６】
2004513326.tif 000010
【図７】
2004513326.tif 000011
2004513326.tif 000012
【図８】
2004513326.tif 000013
【国際公開パンフレット】
2004513326.tif 000014
2004513326.tif 000015
2004513326.tif 000016
2004513326.tif 000017
2004513326.tif 000018
2004513326.tif 000019
2004513326.tif 000020
2004513326.tif 000021
2004513326.tif 000022
2004513326.tif 000023
2004513326.tif 000024
2004513326.tif 000025
2004513326.tif 000026
2004513326.tif 000027
2004513326.tif 000028
2004513326.tif 000029
2004513326.tif 000030
2004513326.tif 000031
2004513326.tif 000032
2004513326.tif 000033
2004513326.tif 000034
2004513326.tif 000035
2004513326.tif 000036
2004513326.tif 000037
2004513326.tif 000038
2004513326.tif 000039
2004513326.tif 000040
2004513326.tif 000041
2004513326.tif 000042
【国際調査報告】
2004513326.tif 000043